(57)【要約】【課題】容器の設置に必要な設置スペースを従来よりも減少させることのできる容器収納ユニットを提供する。【解決手段】上部に縮径部１０Ｂを有する複数の容器１０の外部に配置される外枠３１と、外枠３１の下部に設置され、各容器１０の下部がそれぞれ配置されるように形成された複数の孔部３２ａを有する配置ガイド部材３２と、外枠３１の上部かつ内部に設置された中枠３３と、中枠３３と容器１０の縮径部１０Ｂとを固定する複数の固定部材３４とを備え、複数の孔部３２ａは、上方から視ると千鳥配置された構成とする。【選択図】図４
2018087591.tif 000002
【特許請求の範囲】
【請求項１】
上部に縮径部を有する複数の容器を収納するための容器収納ユニットであって、
前記複数の容器の外部に配置される外枠と、
前記外枠の下部に設置され、各容器下部がそれぞれ配置されるように形成された複数の孔部を有する配置ガイド部材と、
前記外枠の上部かつ内部に設置された中枠と、
前記中枠と前記容器縮径部とを固定する複数の固定部材とを備え、
前記複数の孔部は、上方から視ると、千鳥配置されていることを特徴とする容器収納ユニット。
【請求項２】
前記外枠は、上方から視ると、長方形となっており、
前記配置ガイド部材の隅部には、前記容器よりも径が小さい小型容器が配置されるようになっていることを特徴とする請求項１に記載の容器収納ユニット。
【請求項３】
前記外枠は、上方から視ると、平行四辺形又は台形となっていることを特徴とする請求項１に記載の容器収納ユニット。
【請求項４】
前記容器は、複合容器であることを特徴とする請求項１〜請求項３のいずれか１項に記載の容器収納ユニット。
【請求項５】
前記複合容器は、下部に縮径部を有するとともに、前記下部には設置カバーが取り付けられていることを特徴とする請求項４に記載の容器収納ユニット。
【請求項６】
前記複数の孔部は、円の一部を有する開口であることを特徴とする請求項１〜請求項５のいずれか１項に記載の容器収納ユニット。
【請求項７】
内部に不活性ガスが充填された容器と、
請求項１〜請求項６のいずれか１項に記載の容器収納ユニットとを備え、
前記不活性ガスを消火区画内に放出し、前記消火区画内の前記不活性ガスの濃度を消炎濃度以上に維持することによって消火を行うことを特徴とする消火設備。
【発明の詳細な説明】
【技術分野】
【０００１】
本発明は、容器収納ユニットに関し、特に密閉空間内での火災に際して環境汚染や密閉空間内に存在する機器類に損傷を与えることなく、人命の救助及び効率のよい消火活動を行うのに適切な環境を保持しながら火災の抑制及び消火を行う消火設備に関する。
【背景技術】
【０００２】
従来、消火対象区画内に消火剤を放出し、消火対象区画内の消火剤の濃度を消炎濃度以上に維持することによって消火するガス系消火設備として、消火剤に二酸化炭素やハロンガス等の不活性ガスを使用するようにしたものがある。
【０００３】
そして、消火剤として二酸化炭素やハロンガスを使用する場合、これらの不活性ガスを加圧液化して高圧ガス容器に充填された状態で消火設備内に収納しておき、火災の際に、適宜の電気的手段や空圧的手段を用いて、高圧ガス容器の容器弁を開放することにより、消火剤を高圧ガス容器から配管を介して噴射ヘッドまで送り、噴射ヘッドから消火対象区画内に放出するようにしている。このとき、不活性ガスは、噴射ヘッドまでは液体の状態で送られ、噴射ヘッドから消火対象区画内に放出された瞬間に気化して気体の状態となり、消火対象区画内に充満して火災を鎮圧する。
【０００４】
ところで、このようなガス系消火設備では、容器収納ユニットに、複数の鋼製の高圧ガス容器（外径ｄ１）を収納して、各々の高圧ガス容器と連結導管によって結合される集合管を取り付け、この集合管を消火対象区画へ至る固定配管に接続している（例えば特許文献１及び特許文献２参照）。
【０００５】
また、消火剤として、窒素ガスや、窒素ガスに、オゾン層を破壊しないパーフルオロアルカン（パーフルオロブタン（Ｃ４Ｆ１０））、ハイドロジェノフルオロアルカン（トリフルオロメタン（ＣＨＦ３））、ヘプタフルオロプロパン（Ｃ３ＨＦ７）又はペンタフルオロエタン（Ｃ２ＨＦ５）又はハイドロジェノフルオロハロゲノアルカン（アイオドトリフルオロメタン（ＣＦ３Ｉ））（以下、これらを総称して「フッ素系化合物」という。）の少なくとも１種類を１０容積％以下の割合で混合した混合ガス（以下、単に「混合ガス」という。）を使用することも提案されている。
【先行技術文献】
【特許文献】
【０００６】
【特許文献１】特開２０００−２２５２０６号公報
【特許文献２】特開２００２−７５０号公報
【発明の概要】
【発明が解決しようとする課題】
【０００７】
しかしながら、消火剤として窒素ガスや混合ガスを使用した場合には、加圧してガス状態で高圧ガス容器に貯蔵されるため、加圧液化した状態で貯蔵される二酸化炭素やハロンガスに比べて、同容積の消火対象区画の消火に要する高圧ガス容器の数が数倍必要となり、大きな設置面積（スペース）Ｓが必要となる。
【課題を解決するための手段】
【０００８】
本発明者らは、容器の設置に必要な設置スペースＳを従来よりも減少させる容器収納ユニットについて検討を行った。図９（ａ）は、１０個の容器を配置した際の模式図であり、１０個の容器は正方配置されている。そして、設置面積Ｓ＝１０×（ｄ１＋ａ）２となっている。
これに対して、図９（ｂ）は、１０個の容器を千鳥配置した際の模式図である。そして、設置面積Ｓ＝５×（ｄ１＋ａ）２＋５×（ｄ１＋ａ）２ｓｉｎ６０°となっている。
【０００９】
また、容器収納ユニットには、耐震性が要求されており、高圧ガス容器の上部と下部とを固定することにより千鳥配置を可能とした。
その結果、容器下部が千鳥配置されるように形成された配置ガイド部材と、中枠と容器上部とを固定する固定部材とを備える容器収納ユニットを見出した。
【００１０】
また、不活性ガスを充填して搭載するための軽量かつ小型で耐圧性能の高い容器として、アルミ合金製の金属ライナの外側に繊維強化プラスチック層（ＦＲＰ層とも称する）が形成された複合容器が利用されている。このような複合容器は、円筒状の胴部の両端に、胴部よりも小径となる湾曲面を有する縮径部が形成されている（図１参照）。そこで、下部に設置カバーを取り付けた複合容器を用いることも見出した。これにより、設置スペースＳを従来の高圧ガス容器を用いたときよりも７５％〜８０％程度に低減させることができる。
【００１１】
すなわち、本発明の容器収納ユニットは、上部に縮径部を有する複数の容器を収納するための容器収納ユニットであって、前記複数の容器の外部に配置される外枠と、前記外枠の下部に設置され、各容器下部がそれぞれ配置されるように形成された複数の孔部を有する配置ガイド部材と、前記外枠の上部かつ内部に設置された中枠と、前記中枠と前記容器縮径部とを固定する複数の固定部材とを備え、前記複数の孔部は、上方から視ると、千鳥配置されているようにしている。
【発明の効果】
【００１２】
本発明の容器収納ユニットによれば、耐震性があり、かつコンパクトなものとすることができる。
【００１３】
（他の課題を解決するための手段および効果）
また、本発明の容器収納ユニットにおいて、前記外枠は、上方から視ると、長方形となっており、前記配置ガイド部材の隅部には、前記容器よりも径が小さい小型容器が配置されるようにしてもよい。
なお、小型容器内には、容器と同じガスが充填されてもよく、異なるガスが充填されてもよい。
本発明の容器収納ユニットによれば、外枠が長方形となっているので、製造及び配置が容易となる。
【００１４】
また、本発明の容器収納ユニットにおいて、前記外枠は、上方から視ると、平行四辺形又は台形となっているようにしてもよい。
また、本発明の容器収納ユニットにおいて、前記容器は、複合容器であるようにしてもよい。
本発明の容器収納ユニットによれば、複合容器を用いるため、よりコンパクトなものとすることができる。
また、本発明の容器収納ユニットにおいて、前記複合容器は、下部に縮径部を有するとともに、前記下部には設置カバーが取り付けられているようにしてもよい。
本発明の容器収納ユニットによれば、設置カバーを取り付けることにより下部に縮径部を有する複合容器にも適用することができる。
【００１５】
また、本発明の容器収納ユニットにおいて、前記複数の孔部は、円の一部を有する開口であるようにしてもよい。
本発明の容器収納ユニットによれば、容器を傾斜させて転がして開口を通すことで容器を容易に収納することができる。
そして、本発明の消火設備は、内部に不活性ガスが充填された容器と、上述したような容器収納ユニットとを備え、前記不活性ガスを消火区画内に放出し、前記消火区画内の前記不活性ガスの濃度を消炎濃度以上に維持することによって消火を行うようにしている。
【図面の簡単な説明】
【００１６】
【図１】本発明の第一実施形態に係る複合容器及び設置カバーを示す側面図。
【図２】本発明の第一実施形態に係る容器収納ユニットを示す斜視図。
【図３】図２に示す容器収納ユニットの平面図。
【図４】図２の容器収納ユニットにおける容器収納状態を示す斜視図及び平面図。
【図５】本発明の第二実施形態に係る高圧ガス容器を示す側面図。
【図６】本発明の第二実施形態に係る容器収納ユニットを示す図。
【図７】本発明の第三実施形態に係る容器収納ユニットを示す図。
【図８】本発明に係る容器収納ユニットの他の一例を示す図。
【図９】容器配置時の模式図。
【発明を実施するための形態】
【００１７】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１８】
＜第一実施形態＞
第一実施形態に係る消火設備について説明する。消火設備は、１０個の複合容器１０と、１０個の設置カバー２０と、１個の容器収納ユニット３０と、配管（図示略）等とを備える。なお、図１は、複合容器１０及び設置カバー２０を示す側面図である。
【００１９】
＜複合容器＞
複合容器１０は、外径ｄ１を有する円筒状の胴部１０Ａと、胴部１０Ａの上側に形成され胴部１０Ａより小径の外径ｄ２を有する容器上部（縮径部）１０Ｂと、胴部１０Ａの下側に形成され外径ｄ２を有する容器下部（縮径部）１０Ｃとを有する。なお、胴部１０Ａと容器上部１０Ｂと容器下部１０Ｃとは一体的に形成されている。そして、容器上部１０Ｂには、消火剤の封入や放出に利用される容器弁１１（図４参照）等が取り付けられ、容器下部１０Ｃには、封止部材等（図示略）が取り付けられる。
【００２０】
上記複合容器のライナの材質としては、鉄やチタンやアルミ合金等が挙げられ、外側には炭素繊維強化プラスチック層（ＣＦＲＰ層とも称する）が形成されている。
そして、複合容器１０には消火剤として不活性ガスが充填され、上記不活性ガスとしては、窒素ガスや混合ガス等が挙げられる。
【００２１】
＜設置カバー（容器運搬ケース）＞
設置カバー２０は、円筒部２１ａと円形状の底面２１ｂと連結面２１ｃとを有するケース２１と、容器受部材２２と、容器受部材２２の上面の一部に形成された緩衝層２３とを備える。
ケース２１は、円筒部２１ａと円形状の底面２１ｂと連結面２１ｃとを有し、円筒部２１ａの内径はｄ１となっており、複合容器１０の胴部１０Ａが挿入されるようになっている。そして、連結面２１ｃは、円筒部２１ａと底面２１ｂとを連結するなだらかな曲面（Ｒ）となっており、後述するが曲面（Ｒ）を地面に接触させながら転がすことで複合容器１０を運搬することができる。上記ケースの材質としては、鉄や樹脂等が挙げられる。
容器受部材２２は、ケース２１内に挿入された略円柱体であり、その上面に容器下部１０Ｃに対応する孔部（内径ｄ１＞内径ｄ２）が形成されている。上記容器受部材の材質としては、  樹脂等が挙げられる。
緩衝層２３は、容器受部材２２の上面の一部（円環形状）に形成されており、容器下部１０Ｃと容器受部材２２との間に配置されるようになっている。緩衝層２３の接触面積は容器下部１０Ｃの曲面の面積の１／２以上となっており、緩衝層２３の弾性率は容器受部材２２の弾性率の１／２以下となっている。上記緩衝層の材質としては、上記条件を満たすゴム等が挙げられ、容器受部材２２と容器下部１０Ｃの間を広い体積で効率的に荷重を負担することができる。
これにより、設置カバー２０内に容器下部１０Ｃが挿入されることで、設置カバー２０が容器下部１０Ｃに取り付けられるようになっている。
そして、このような設置カバー２０によれば、セッティングが容易で、複合容器の性能を十分に引き出すことができる。また、設置カバー２０は消火設備にそのまま設置することができる。
【００２２】
＜容器収納ユニット＞
図２は、本発明に係る容器収納ユニット３０を示す斜視図であり、図３は、図２に示す容器収納ユニット３０の平面図である。そして、図４（ａ）は、１０個の複合容器１０が収納された容器収納ユニット３０を示す斜視図であり、図４（ｂ）は、図４（ａ）の平面図である。なお、地面に水平な一方向をＸ方向とし、地面に水平でＸ方向と垂直な方向をＹ方向とし、Ｘ方向とＹ方向とに垂直な方向をＺ方向とする。
容器収納ユニット３０は、外枠３１と、外枠３１の下部に設置された配置ガイド部材３２と、外枠３１の上部かつ内部に設置された中枠３３とを備え、中枠３３と容器上部１０Ｂとを固定するための１０個の固定部材３４が取り付け可能となっている。
【００２３】
外枠３１は、上下方向（Ｚ方向）に伸びた３本の左側棒３１ａと、上下方向に伸びた３本の右側棒３１ｂと、第一の左側棒３１ａ中部から第一の右側棒３１ｂ中部までの左右方向（Ｘ方向）に伸びた２本の前側棒３１ｃと、第三の左側棒３１ａ中部から第三の右側棒３１ｂ中部までの左右方向に伸びた２本の後側棒３１ｄとを備える。そして、２本の前側棒３１ｃは、第一の左側棒３１ａと第一の右側棒３１ｂとから取り外し可能となっており、２本の後側棒３１ｄは、第三の左側棒３１ａと第三の右側棒３１ｂとから取り外し可能となっている。
また、外枠３１は、上方から視ると略平行四辺形となっており、１０個の複合容器１０が内部に配置されるようになっている。
【００２４】
配置ガイド部材３２は、１０個の孔部３２ａを有する。そして、１０個の孔部３２ａは、上方から視ると２列で千鳥配置されている。また、各孔部３２ａは上方から視ると半円状体であり、その開口部分が外側（Ｙ方向又は−Ｙ方向）を向くように配置されている。
これにより、各孔部３２ａに各容器下部１０Ｃに取り付けられた設置カバー２０を挿入して固定することで、１０個の複合容器１０が千鳥配置されるようになっている。
【００２５】
中枠３３は、第二の左側棒３１ａ上部から第二の右側棒３１ｂ上部までの左右方向に伸びた１本の中側棒である。
そして、固定部材３４は、１個の容器上部１０Ｂと中枠３３とを固定するための挿入孔を有する板状体であり、１０個の固定部材３４によって１０個の容器上部１０Ｂと中枠３３とを固定する。
上記外枠、上記配置ガイド部材、上記中枠及び上記固定部材の材質としては、鉄や樹脂等が挙げられる。
【００２６】
＜容器配置方法＞
ここで、消火設備に容器収納ユニット３０を用いて１０個の複合容器１０を配置する容器配置方法ついて説明する。
まず、作業者等は、２本の前側棒３１ｃを左側棒３１ａと右側棒３１ｂとから取り外す。次に、作業者等は、容器下部１０Ｃに設置カバー２０を取り付ける。次に、作業者等は、複合容器１０を傾けて設置カバー２０のＲを地面に接触させながら転がして、開口から孔部３２ａに設置カバー２０を挿入する。次に、作業者等は、固定部材３４によって容器上部１０Ｂと中枠３３とを固定する。このようにして、前側となる５個の複合容器１０を収納した後、２本の前側棒３１ｃを左側棒３１ａと右側棒３１ｂとに取り付ける。
【００２７】
次に、作業者等は、２本の後側棒３１ｄを左側棒３１ａと右側棒３１ｂとから取り外す。次に、作業者等は、容器下部１０Ｃに設置カバー２０を取り付ける。次に、作業者等は、複合容器１０を傾けて設置カバー２０のＲを地面に接触させながら転がして、開口から孔部３２ａに設置カバー２０を挿入する。次に、作業者等は、固定部材３４によって容器上部１０Ｂと中枠３３とを固定する。このようにして、後側となる５個の複合容器１０を収納した後、２本の後側棒３１ｄを左側棒３１ａと右側棒３１ｂとに取り付ける。
最後に、作業者等は、１０個の複合容器１０の容器弁と連結導管によって結合される集合管を取り付け、この集合管を消火対象区画へ至る固定配管に接続する。
【００２８】
以上のように、本発明の容器収納ユニット３０によれば、耐震性がありコンパクトなものとすることができる。また、設置カバー２０を取り付けることにより下部に縮径部を有する複合容器１０にも適用が可能である。また、複合容器１０を用いることで、よりコンパクトなものとすることができる。
【００２９】
＜第二実施形態＞
第二実施形態に係る消火設備について説明する。消火設備は、１８個の高圧ガス容器１１０と、２個の容器収納ユニット１３０と、配管（図示略）等とを備える。なお、図５は、高圧ガス容器１１０を示す側面図である。
【００３０】
＜高圧ガス容器＞
高圧ガス容器１１０は、外径ｄ１を有する円筒状の胴部１１０Ａと、胴部１１０Ａの上側に形成され外径ｄ２を有する容器上部（縮径部）１１０Ｂとを有する。そして、容器上部１１０Ｂには消火剤の封入や放出に利用される容器弁等（図示略）が取り付けられる。
【００３１】
上記容器の材質としては、鋼等が挙げられる。
そして、高圧ガス容器１１０には消火剤として不活性ガスが充填され、上記不活性ガスとしては、二酸化炭素やハロンガス等が挙げられる。
【００３２】
＜容器収納ユニット＞
図６は、本発明に係る容器収納ユニット１３０を示す図である。なお、図６（ａ）は、２個の容器収納ユニット１３０が連結された際の斜視図であり、図６（ｂ）は、図６（ａ）の平面図である。
容器収納ユニット１３０は、外枠１３１と、外枠１３１の下部に設置された配置ガイド部材１３２と、外枠１３１の上部かつ内部に設置された中枠１３３と、中枠１３３と容器上部１１０Ｂとを固定するための９個の固定部材１３４とを備える。
【００３３】
外枠１３１は、上下方向に伸びた３本の左側棒１３１ａと、上下方向に伸びた３本の右側棒１３１ｂと、第一の左側棒１３１ａ中部から第一の右側棒１３１ｂ中部までの左右方向に伸びた２本の前側棒１３１ｃと、第三の左側棒１３１ａ中部から第三の右側棒１３１ｂ中部までの左右方向に伸びた２本の後側棒１３１ｄとを備える。そして、２本の前側棒１３１ｃは、左側棒１３１ａと右側棒１３１ｂとから取り外し可能となっており、２本の後側棒１３１ｄは、左側棒１３１ａと右側棒１３１ｂとから取り外し可能となっている。
また、外枠１３１は、上方から視ると台形となっており、９個の高圧ガス容器１１０が内部に配置されるようになっている。
【００３４】
配置ガイド部材１３２は、９個の孔部を有する。そして、９個の孔部は、上方から視ると２列で千鳥配置されている。また、各孔部は上方から視ると半円状体であり、その開口部分が外側（Ｙ方向又は−Ｙ方向）を向くように配置されている。
これにより、各孔部に各容器下部１１０Ｃを挿入して固定することで、９個の高圧ガス容器１１０が千鳥配置されるようになっている。
【００３５】
中枠１３３は、第二の左側棒１３１ａ上部から第二の右側棒１３１ｂ上部までの左右方向に伸びた１本の中側棒である。
そして、固定部材１３４は、１個の容器上部１１０Ｂと中枠とを固定するための挿入孔を有する板状体であり、９個の固定部材１３４によって９個の容器上部１１０Ｂと中枠１３３とを固定する。
上記外枠、上記配置ガイド部材、上記中枠及び上記固定部材の材質としては、鉄や樹脂等が挙げられる。
【００３６】
そして、作業者等は、２個の容器収納ユニット１３０の前後方向を互いに逆にして左右方向に連結し、１８個の高圧ガス容器１１０の容器弁と連結導管によって結合される集合管を取り付け、この集合管を消火対象区画へ至る固定配管に接続する。
【００３７】
以上のように、本発明の容器収納ユニット１３０によれば、耐震性がありコンパクトなものとすることができる。
【００３８】
＜第三実施形態＞
図７（ａ）は、１０個の複合容器１０と４個の小型容器２１０が収納された容器収納ユニット２３０を示す斜視図であり、図７（ｂ）は、図７（ａ）の平面図である。
【００３９】
＜小型容器＞
小型容器２１０は、外径ｄ３を有する円筒状の胴部を有し、その高さは複合容器１０の高さと同じとなっている。そして、容器上部には、消火剤の封入や放出に利用され外径ｄ４を有する容器弁が取り付けられる。
上記小型容器の材質としては、鉄やチタンやアルミ合金やこれらとＦＲＰ層を組み合わせた複合材料等が挙げられる。
そして、小型容器２１０には消火剤として不活性ガスが充填され、上記不活性ガスとしては、窒素ガスや混合ガス等が挙げられる。
【００４０】
＜容器収納ユニット＞
容器収納ユニット２３０は、外枠２３１と、外枠２３１の下部に設置された配置ガイド部材２３２と、外枠２３１の上部かつ内部に設置された中枠２３３と、中枠２３３と容器上部１０Ｂとを固定するための１０個の固定部材２３４と、中枠２３３と小型容器２１０の上部とを固定するための２個の小型固定部材２３５とを備える。
【００４１】
外枠２３１は、上下方向に伸びた２本の左側棒２３１ａと、上下方向に伸びた２本の右側棒２３１ｂと、第一の左側棒２３１ａ中部から第一の右側棒２３１ｂ中部までの左右方向に伸びた２本の前側棒２３１ｃと、第二の左側棒２３１ａ中部から第二の右側棒２３１ｂ中部までの左右方向に伸びた２本の後側棒２３１ｄとを備える。そして、２本の前側棒２３１ｃは、左側棒２３１ａと右側棒２３１ｂとから取り外し可能となっており、２本の後側棒２３１ｄは、左側棒２３１ａと右側棒２３１ｂとから取り外し可能となっている。
また、外枠２３１は、上方から視ると長方形となっており、１０個の複合容器１０が内部に配置されるとともに、４個の小型容器２１０が内部に配置されるようになっている。
【００４２】
配置ガイド部材２３２は、１０個の孔部と４個の小孔部とを有する。そして、１０個の孔部は、上方から視ると２列で千鳥配置されている。また、各孔部は上方から視ると半円状体であり、その開口部分が外側（Ｙ方向又は−Ｙ方向）を向くように配置されている。
また、２個の小孔部は、上方から視ると左上隅部に配置されるとともに、２個の小孔部は、上方から視ると右下隅部に配置されている。
これにより、各孔部に各容器下部１０Ｃに取り付けられた設置カバー２０を挿入して固定することで、１０個の複合容器１０が千鳥配置されるとともに、４個の小型容器２１０が隅部に配置されるようになっている。
【００４３】
中枠２３３は、第一の左側棒２３１ａ上部と第二の左側棒２３１ａ上部とを連結する部材の中央から、第一の右側棒２３１ｂ上部と第二の右側棒２３１ｂ上部とを連結する部材の中央までの左右方向に伸びた１本の中側棒である。
そして、固定部材２３４は、１個の容器上部１０Ｂと中枠２３３とを固定するための挿入孔を有する板状体であり、１０個の固定部材２３４によって１０個の容器上部１０Ｂと中枠２３３とを固定する。また、小型固定部材２３５は、２個の小型容器２１０の上部と中枠２３３とを固定するための挿入孔を有する板状体であり、２個の小型固定部材２３５によって４個の小型容器２１０の上部と中枠とを固定する。
上記外枠、上記配置ガイド部材、上記中枠、上記固定部材及び上記小型固定部材の材質としては、鉄や樹脂等が挙げられる。
【００４４】
以上のように、本発明の容器収納ユニット２３０によれば、耐震性がありコンパクトなものとすることができる。また、外枠が長方形となっているので、製造及び配置が容易となる。
そして、本発明の容器収納ユニット２３０を用いて、例えば、作業者等は、１０個の複合容器１０及び４個の小型容器２１０の容器弁と連結導管によって結合される集合管を取り付け、この集合管を消火対象区画へ至る固定配管に接続する。
【００４５】
＜他の実施形態＞
上述した容器収納ユニット３０において、２列で千鳥配置されている構成としたが、２本の中枠を設け４列で千鳥配置されているような構成としてもよく（図８参照）、３列で千鳥配置されているような構成としてもよい。
【産業上の利用可能性】
【００４６】
本発明は、密閉空間内での火災に際して環境汚染や密閉空間内に存在する機器類に損傷を与えることなく、人命の救助及び効率のよい消火活動を行うのに適切な環境を保持しながら火災の抑制及び消火を行う消火設備等に好適に利用することができる。
【符号の説明】
【００４７】
１０  容器
１０Ａ  胴部
１０Ｂ  容器上部（縮径部）
１０Ｃ  容器下部（縮径部）
３０  容器収納ユニット
３１  外枠
３２  配置ガイド部材
３２ａ  孔部
３３  中枠
３４  固定部材
【図１】
2018087591.tif 000003
【図２】
2018087591.tif 000004
【図３】
2018087591.tif 000005
【図４】
2018087591.tif 000006
【図５】
2018087591.tif 000007
【図６】
2018087591.tif 000008
【図７】
2018087591.tif 000009
【図８】
2018087591.tif 000010
【図９】
2018087591.tif 000011